(57)【特許請求の範囲】
【請求項１】
ガスタービン燃焼器を構成するガスタービン燃焼器用内筒の梱包用具であって、
底面を形成する底板と、側面を形成する４枚の側板とを備え、その外観形状が直方体を呈する、強化段ボールからなる底トレーと、
前記底トレーの内部空間を仕切る、強化段ボールからなる間仕切りと、
側面を形成する４枚の側板を備え、その外観形状が直方体を呈するとともに、その下端部が、前記間仕切りの各端面の下端部と、この下端部と対向する、前記底トレーの側板の周方向における中央部に位置する内側面との間に形成された隙間に嵌め込まれる、強化段ボールからなるスリーブと、
前記スリーブの開口部を塞ぐ、強化段ボールからなる蓋体とを備えていることを特徴とするガスタービン燃焼器用内筒の梱包用具。
【請求項２】
前記ガスタービン燃焼器用内筒は、縦置きにして梱包され、
前記間仕切りは、前記底トレーの内部空間を４つの空間に仕切り、平面視十字形状であることを特徴とする請求項１に記載のガスタービン燃焼器用内筒の梱包用具。
【請求項３】
前記底トレーの底板と、前記間仕切りとの間に、前記底トレーの底板の全面を覆い隠す平面視矩形状を呈する板状の緩衝材が設けられていることを特徴とする請求項１または２に記載のガスタービン燃焼器用内筒の梱包用具。
【請求項４】
前記ガスタービン燃焼器用内筒と、前記蓋体との間に、前記スリーブの開口部を覆い隠す平面視矩形状を呈する板状の緩衝材が設けられていることを特徴とする請求項１から３のいずれか一項に記載のガスタービン燃焼器用内筒の梱包用具。
【請求項５】
ガスタービン燃焼器を構成するガスタービン燃焼器用内筒の梱包方法であって、
底面を形成する底板と、側面を形成する４枚の側板とを備え、その外観形状が直方体を呈する、強化段ボールからなる底トレーの中に、底トレーの内部空間を仕切る、強化段ボールからなる間仕切りを入れる段階と、
前記間仕切りによって仕切られた各空間内に、前記ガスタービン燃焼器用内筒を収容する段階と、
側面を形成する４枚の側板を備え、その外観形状が直方体を呈する、強化段ボールからなるスリーブを、その下端部が、前記間仕切りの各端面の下端部と、この下端部と対向する、前記底トレーの側板の周方向における中央部に位置する内側面との間に形成された隙間に嵌め込まれるようにして底トレーの上に載置する段階と、
前記スリーブの開口部を、強化段ボールからなる蓋体で覆う段階とを備えていることを特徴とするガスタービン燃焼器用内筒の梱包方法。
【請求項６】
前記ガスタービン燃焼器用内筒は、縦置きにして梱包され、
前記間仕切りは、前記底トレーの内部空間を４つの空間に仕切り、平面視十字形状であることを特徴とする請求項５に記載のガスタービン燃焼器用内筒の梱包方法。
【請求項７】
前記底トレーの中に前記間仕切りを入れる前に、前記底トレーの底板の全面を覆い隠す平面視矩形状を呈する板状の緩衝材を、前記底トレーの底板に敷くようにしたことを特徴とする請求項５または６に記載のガスタービン燃焼器用内筒の梱包方法。
【請求項８】
前記スリーブの開口部を前記蓋体で覆う前に、前記スリーブの開口部を覆い隠す平面視矩形状を呈する板状の緩衝材を、前記間仕切りおよび前記ガスタービン燃焼器用内筒の上に置くようにしたことを特徴とする請求項５から７のいずれか一項に記載のガスタービン燃焼器用内筒の梱包方法。
【請求項９】
ガスタービン燃焼器を構成するガスタービン燃焼器用尾筒を縦置きにして梱包するガスタービン燃焼器用尾筒の梱包用具であって、
底面を形成する底板と、側面を形成する４枚の側板とを備え、その外観形状が直方体を呈する、強化段ボールからなる底トレーと、
前記底トレーの内部空間を４つの空間に仕切る、強化段ボールからなる平面視十字形状の間仕切りと、
側面を形成する４枚の側板を備え、その外観形状が直方体を呈するとともに、その下端部が、前記間仕切りの各端面の下端部と、この下端部と対向する、前記底トレーの側板の周方向における中央部に位置する内側面との間に形成された隙間に嵌め込まれる、強化段ボールからなるスリーブと、
前記スリーブの開口部を塞ぐ、強化段ボールからなる蓋体とを備えていることを特徴とするガスタービン燃焼器用尾筒の梱包用具。
【請求項１０】
前記底トレーの底板と、前記間仕切りとの間に、前記ガスタービン燃焼器用尾筒の一端側に設けられた円形部の先端を受け入れる穴を備えた、強化段ボールからなる板状の底パットが設けられていることを特徴とする請求項９に記載のガスタービン燃焼器用尾筒の梱包用具。
【請求項１１】
前記間仕切りの上に、隣り合うガスタービン燃焼器用尾筒とガスタービン燃焼器用尾筒との間隔を保持する、強化段ボールからなる間隔保持材が設けられていることを特徴とする請求項９または１０に記載のガスタービン燃焼器用尾筒の梱包用具。
【請求項１２】
前記蓋体を被せた際に、前記ガスタービン燃焼器用尾筒の他端側に設けられた略角筒状部の先端と、前記蓋体の下面との間に形成される空間内に、前記ガスタービン燃焼器用尾筒の主に上下方向の移動を阻止する、強化段ボールからなる隙間充填材が設けられていることを特徴とする請求項９から１１のいずれか一項に記載のガスタービン燃焼器用尾筒の梱包用具。
【請求項１３】
ガスタービン燃焼器を構成するガスタービン燃焼器用尾筒を縦置きにして梱包するガスタービン燃焼器用尾筒の梱包方法であって、
底面を形成する底板と、側面を形成する４枚の側板とを備え、その外観形状が直方体を呈する、強化段ボールからなる底トレーの中に、底トレーの内部空間を４つの空間に仕切る、強化段ボールからなる平面視十字形状の間仕切りを入れる段階と、
前記間仕切りによって仕切られた各空間内に、前記ガスタービン燃焼器用尾筒を収容する段階と、
側面を形成する４枚の側板を備え、その外観形状が直方体を呈する、強化段ボールからなるスリーブを、その下端部が、前記間仕切りの各端面の下端部と、この下端部と対向する、前記底トレーの側板の周方向における中央部に位置する内側面との間に形成された隙間に嵌め込まれるようにして底トレーの上に載置する段階と、
前記スリーブの開口部を、強化段ボールからなる蓋体で覆う段階とを備えていることを特徴とするガスタービン燃焼器用尾筒の梱包方法。
【請求項１４】
前記底トレーの中に前記間仕切りを入れる前に、前記ガスタービン燃焼器用尾筒の一端側に設けられた円形部の先端を受け入れる穴を備えた、強化段ボールからなる板状の底パットを、前記底トレーの底板に敷くようにしたことを特徴とする請求項１３に記載のガスタービン燃焼器用尾筒の梱包方法。
【請求項１５】
前記スリーブの開口部を前記蓋体で覆う前に、前記ガスタービン燃焼器用尾筒の他端側に設けられた略角筒状部の先端と、前記蓋体の下面との間に形成される空間内に、前記ガスタービン燃焼器用尾筒の主に上下方向の移動を阻止する、強化段ボールからなる隙間充填材を入れるようにしたことを特徴とする請求項１３または１４に記載のガスタービン燃焼器用尾筒の梱包方法。
【請求項１６】
前記隙間充填材を入れる前に、前記間仕切りの上に、隣り合うガスタービン燃焼器用尾筒とガスタービン燃焼器用尾筒との間隔を保持する、強化段ボールからなる間隔保持材を入れるようにしたことを特徴とする請求項１３から１５のいずれか一項に記載のガスタービン燃焼器用尾筒の梱包方法。
【発明の詳細な説明】
【技術分野】
【０００１】
本発明は、ガスタービン燃焼器を構成して、燃料を空気とともに燃焼させて燃焼ガスを生成するガスタービン燃焼器用内筒尾筒の梱包用具およびガスタービン燃焼器用内筒尾筒の梱包方法に関するものである。
【背景技術】
【０００２】
例えば、特許文献１に開示されたガスタービン燃焼器用内筒やガスタービン燃焼器用尾筒はそれぞれ、従来、木製の箱（木箱）からなる梱包用具に収容された状態で運搬されていた。
【先行技術文献】
【特許文献】
【０００３】
【特許文献１】特開２００９−２４３３１０号公報
【発明の概要】
【発明が解決しようとする課題】
【０００４】
しかしながら、木箱を使用した従来の梱包用具および梱包方法では、貨物全体の重量が増大し、輸送費が嵩んでしまうといった問題点があった。
また、ガスタービン燃焼器用内筒やガスタービン燃焼器用尾筒を木箱に収容したり、木箱から取り出したりするとき、あるいは運搬中に、ガスタービン燃焼器用内筒やガスタービン燃焼器用尾筒が木箱に接触して、ガスタービン燃焼器用内筒やガスタービン燃焼器用尾筒の表面に擦過傷が付いてしまうといったおそれもあった。
さらに、木箱の組立・解体作業に多大な時間と労力を要し、作業効率が悪いといった問題点もあった。
【０００５】
本発明は、上記の事情に鑑みてなされたもので、貨物全体の重量を低減させることができ、ガスタービン燃焼器用内筒尾筒の表面への擦過傷を防止することができて、容易に組立・解体することができるガスタービン燃焼器用内筒尾筒の梱包用具およびガスタービン燃焼器用内筒尾筒の梱包方法を提供することを目的とする。
【課題を解決するための手段】
【０００６】
本発明は、上記課題を解決するため、以下の手段を採用した。
本発明に係るガスタービン燃焼器用内筒の梱包用具は、ガスタービン燃焼器を構成するガスタービン燃焼器用内筒の梱包用具であって、底面を形成する底板と、側面を形成する４枚の側板とを備え、その外観形状が直方体を呈する、強化段ボールからなる底トレーと、前記底トレーの内部空間を仕切る、強化段ボールからなる間仕切りと、側面を形成する４枚の側板を備え、その外観形状が直方体を呈するとともに、その下端部が、前記間仕切りの各端面の下端部と、この下端部と対向する、前記底トレーの側板の周方向における中央部に位置する内側面との間に形成された隙間に嵌め込まれる、強化段ボールからなるスリーブと、前記スリーブの開口部を塞ぐ、強化段ボールからなる蓋体とを備えている。
【０００７】
本発明に係るガスタービン燃焼器用内筒の梱包用具によれば、梱包用具全体が、強化段ボールで作られているので、貨物全体の重量を低減させることができ、輸送費の削減を図ることができる。
また、梱包用具全体が、強化段ボールで作られているので、ガスタービン燃焼器用内筒を梱包用具に収容したり、梱包用具から取り出したりするとき、あるいは運搬中に、ガスタービン燃焼器用内筒が梱包用具に接触したとしても、梱包用具だけが凹むようになっており、ガスタービン燃焼器用内筒の表面への擦過傷を防止することができる。
さらに、梱包用具全体が、強化段ボールで作られているので、従来使用されていた木箱に比べて、容易に組立・解体することができ、組立・解体作業に要する時間と労力を低減させることができて、作業効率を向上させることができる。
さらにまた、隣り合うガスタービン燃焼器用内筒とガスタービン燃焼器用内筒との間に強化段ボールで作られた間仕切りが配置されることになるので、ガスタービン燃焼器用内筒を梱包用具に収容したり、梱包用具から取り出したりするとき、あるいは運搬中におけるガスタービン燃焼器用内筒同士の接触を防止することができ、ガスタービン燃焼器用内筒の表面への擦過傷をさらに防止することができるとともに、梱包用具全体の剛性を高めることができる。
【０００８】
上記ガスタービン燃焼器用内筒の梱包用具において、前記ガスタービン燃焼器用内筒は、縦置きにして梱包され、前記間仕切りは、前記底トレーの内部空間を４つの空間に仕切り、平面視十字形状であると好適である。
上記ガスタービン燃焼器用内筒の梱包用具において、前記底トレーの底板と、前記間仕切りとの間に、前記底トレーの底板の全面を覆い隠す平面視矩形状を呈する板状の緩衝材が設けられているとさらに好適である。
【０００９】
このようなガスタービン燃焼器用内筒の梱包用具によれば、ガスタービン燃焼器用内筒が板状の緩衝材を介して支持され、ガスタービン燃焼器用内筒が強化段ボールで作られた部分と直接接触しないようになっているので、ガスタービン燃焼器用内筒の表面への擦過傷をさらに防止することができる。緩衝材としては、例えば、ウレタンシートを用いることができる。
【００１０】
上記ガスタービン燃焼器用内筒の梱包用具において、前記ガスタービン燃焼器用内筒と、前記蓋体との間に、前記スリーブの開口部を覆い隠す平面視矩形状を呈する板状の緩衝材が設けられているとさらに好適である。
【００１１】
このようなガスタービン燃焼器用内筒の梱包用具によれば、ガスタービン燃焼器用内筒が強化段ボールで作られた部分と直接接触しないようになっているので、ガスタービン燃焼器用内筒の表面への擦過傷をさらに防止することができる。緩衝材としては、例えば、ウレタンシートを用いることができる。
【００１２】
本発明に係るガスタービン燃焼器用内筒の梱包方法は、ガスタービン燃焼器を構成するガスタービン燃焼器用内筒の梱包方法であって、底面を形成する底板と、側面を形成する４枚の側板とを備え、その外観形状が直方体を呈する、強化段ボールからなる底トレーの中に、底トレーの内部空間を仕切る、強化段ボールからなる間仕切りを入れる段階と、前記間仕切りによって仕切られた各空間内に、前記ガスタービン燃焼器用内筒を収容する段階と、側面を形成する４枚の側板を備え、その外観形状が直方体を呈する、強化段ボールからなるスリーブを、その下端部が、前記間仕切りの各端面の下端部と、この下端部と対向する、前記底トレーの側板の周方向における中央部に位置する内側面との間に形成された隙間に嵌め込まれるようにして底トレーの上に載置する段階と、前記スリーブの開口部を、強化段ボールからなる蓋体で覆う段階とを備えている。
【００１３】
本発明に係るガスタービン燃焼器用内筒の梱包方法によれば、梱包用具全体が、強化段ボールで作られているので、貨物全体の重量を低減させることができ、輸送費の削減を図ることができる。
また、梱包用具全体が、強化段ボールで作られているので、ガスタービン燃焼器用内筒を梱包用具に収容したり、梱包用具から取り出したりするとき、あるいは運搬中に、ガスタービン燃焼器用内筒が梱包用具に接触したとしても、梱包用具だけが凹むようになっており、ガスタービン燃焼器用内筒の表面への擦過傷を防止することができる。
さらに、梱包用具全体が、強化段ボールで作られているので、従来使用されていた木箱に比べて、容易に組立・解体することができ、組立・解体作業に要する時間と労力を低減させることができて、作業効率を向上させることができる。
さらにまた、隣り合うガスタービン燃焼器用内筒とガスタービン燃焼器用内筒との間に強化段ボールで作られた間仕切りが配置されることになるので、ガスタービン燃焼器用内筒を梱包用具に収容したり、梱包用具から取り出したりするとき、あるいは運搬中におけるガスタービン燃焼器用内筒同士の接触を防止することができ、ガスタービン燃焼器用内筒の表面への擦過傷をさらに防止することができるとともに、梱包用具全体の剛性を高めることができる。
さらにまた、間仕切りによって仕切られた各空間内に、ガスタービン燃焼器用内筒を収容した後に、その周囲を覆うスリーブが配置されることになるので、ガスタービン燃焼器用内筒の位置決め作業を側方から見て行うことができ、作業効率を向上させることができる。
【００１４】
上記ガスタービン燃焼器用内筒の梱包方法において、前記ガスタービン燃焼器用内筒は、縦置きにして梱包され、前記間仕切りは、前記底トレーの内部空間を４つの空間に仕切り、平面視十字形状であると好適である。
上記ガスタービン燃焼器用内筒の梱包方法において、前記底トレーの中に前記間仕切りを入れる前に、前記底トレーの底板の全面を覆い隠す平面視矩形状を呈する板状の緩衝材を、前記底トレーの底板に敷くようにするとさらに好適である。
【００１５】
このようなガスタービン燃焼器用内筒の梱包方法によれば、ガスタービン燃焼器用内筒が板状の緩衝材を介して支持され、ガスタービン燃焼器用内筒が強化段ボールで作られた部分と直接接触しないようになっているので、ガスタービン燃焼器用内筒の表面への擦過傷をさらに防止することができる。緩衝材としては、例えば、ウレタンシートを用いることができる。
【００１６】
上記ガスタービン燃焼器用内筒の梱包方法において、前記スリーブの開口部を前記蓋体で覆う前に、前記スリーブの開口部を覆い隠す平面視矩形状を呈する板状の緩衝材を、前記間仕切りおよび前記ガスタービン燃焼器用内筒の上に置くようにするとさらに好適である。
【００１７】
このようなガスタービン燃焼器用内筒の梱包方法によれば、ガスタービン燃焼器用内筒が強化段ボールで作られた部分と直接接触しないようになっているので、ガスタービン燃焼器用内筒の表面への擦過傷をさらに防止することができる。緩衝材としては、例えば、ウレタンシートを用いることができる。
【００１８】
本発明に係るガスタービン燃焼器用尾筒の梱包用具は、ガスタービン燃焼器を構成するガスタービン燃焼器用尾筒を縦置きにして梱包するガスタービン燃焼器用尾筒の梱包用具であって、底面を形成する底板と、側面を形成する４枚の側板とを備え、その外観形状が直方体を呈する、強化段ボールからなる底トレーと、前記底トレーの内部空間を４つの空間に仕切る、強化段ボールからなる平面視十字形状の間仕切りと、側面を形成する４枚の側板を備え、その外観形状が直方体を呈するとともに、その下端部が、前記間仕切りの各端面の下端部と、この下端部と対向する、前記底トレーの側板の周方向における中央部に位置する内側面との間に形成された隙間に嵌め込まれる、強化段ボールからなるスリーブと、前記スリーブの開口部を塞ぐ、強化段ボールからなる蓋体とを備えている。
【００１９】
本発明に係るガスタービン燃焼器用尾筒の梱包用具によれば、梱包用具全体が、強化段ボールで作られているので、貨物全体の重量を低減させることができ、輸送費の削減を図ることができる。
また、梱包用具全体が、強化段ボールで作られているので、ガスタービン燃焼器用尾筒を梱包用具に収容したり、梱包用具から取り出したりするとき、あるいは運搬中に、ガスタービン燃焼器用尾筒が梱包用具に接触したとしても、梱包用具だけが凹むようになっており、ガスタービン燃焼器用尾筒の表面への擦過傷を防止することができる。
さらに、梱包用具全体が、強化段ボールで作られているので、従来使用されていた木箱に比べて、容易に組立・解体することができ、組立・解体作業に要する時間と労力を低減させることができて、作業効率を向上させることができる。
さらにまた、隣り合うガスタービン燃焼器用尾筒とガスタービン燃焼器用尾筒との間に強化段ボールで作られた間仕切りが配置されることになるので、ガスタービン燃焼器用尾筒を梱包用具に収容したり、梱包用具から取り出したりするとき、あるいは運搬中におけるガスタービン燃焼器用尾筒同士の接触を防止することができ、ガスタービン燃焼器用尾筒の表面への擦過傷をさらに防止することができるとともに、梱包用具全体の剛性を高めることができる。
【００２０】
上記ガスタービン燃焼器用尾筒の梱包用具において、前記底トレーの底板と、前記間仕切りとの間に、前記ガスタービン燃焼器用尾筒の一端側に設けられた円形部の先端を受け入れる穴を備えた、強化段ボールからなる板状の底パットが設けられているとさらに好適である。
【００２１】
このようなガスタービン燃焼器用尾筒の梱包用具によれば、ガスタービン燃焼器用尾筒の一端側に設けられた円形部の先端を穴内に挿入することにより、ガスタービン燃焼器用尾筒の位置決めが行われることになるので、ガスタービン燃焼器用尾筒の位置決め作業を容易に行うことができ、作業効率を向上させることができる。
【００２２】
上記ガスタービン燃焼器用尾筒の梱包用具において、前記間仕切りの上に、隣り合うガスタービン燃焼器用尾筒とガスタービン燃焼器用尾筒との間隔を保持する、強化段ボールからなる間隔保持材が設けられているとさらに好適である。
【００２３】
このようなガスタービン燃焼器用尾筒の梱包用具によれば、隣り合うガスタービン燃焼器用尾筒とガスタービン燃焼器用尾筒との間に強化段ボールで作られた間隔保持材が配置されることになるので、運搬中におけるガスタービン燃焼器用尾筒同士の接触を防止することができ、ガスタービン燃焼器用尾筒の表面への擦過傷をさらに防止することができる。
【００２４】
上記ガスタービン燃焼器用尾筒の梱包用具において、前記蓋体を被せた際に、前記ガスタービン燃焼器用尾筒の他端側に設けられた略角筒状部の先端と、前記蓋体の下面との間に形成される空間内に、前記ガスタービン燃焼器用尾筒の主に上下方向の移動を阻止する、強化段ボールからなる隙間充填材が設けられているとさらに好適である。
【００２５】
このようなガスタービン燃焼器用尾筒の梱包用具によれば、蓋体を被せた際に、ガスタービン燃焼器用尾筒の他端側に設けられた略角筒状部の先端と、蓋体の下面との間に形成される空間内に、強化段ボールで作られた隙間充填材が配置されることになるので、運搬中におけるガスタービン燃焼器用尾筒の移動を防止することができ、ガスタービン燃焼器用尾筒の表面への擦過傷をさらに防止することができる。
【００２６】
本発明に係るガスタービン燃焼器用尾筒の梱包方法は、ガスタービン燃焼器を構成するガスタービン燃焼器用尾筒を縦置きにして梱包するガスタービン燃焼器用尾筒の梱包方法であって、底面を形成する底板と、側面を形成する４枚の側板とを備え、その外観形状が直方体を呈する、強化段ボールからなる底トレーの中に、底トレーの内部空間を４つの空間に仕切る、強化段ボールからなる平面視十字形状の間仕切りを入れる段階と、前記間仕切りによって仕切られた各空間内に、前記ガスタービン燃焼器用尾筒を収容する段階と、側面を形成する４枚の側板を備え、その外観形状が直方体を呈する、強化段ボールからなるスリーブを、その下端部が、前記間仕切りの各端面の下端部と、この下端部と対向する、前記底トレーの側板の周方向における中央部に位置する内側面との間に形成された隙間に嵌め込まれるようにして底トレーの上に載置する段階と、前記スリーブの開口部を、強化段ボールからなる蓋体で覆う段階とを備えている。
【００２７】
本発明に係るガスタービン燃焼器用尾筒の梱包方法によれば、梱包用具全体が、強化段ボールで作られているので、貨物全体の重量を低減させることができ、輸送費の削減を図ることができる。
また、梱包用具全体が、強化段ボールで作られているので、ガスタービン燃焼器用尾筒を梱包用具に収容したり、梱包用具から取り出したりするとき、あるいは運搬中に、ガスタービン燃焼器用尾筒が梱包用具に接触したとしても、梱包用具だけが凹むようになっており、ガスタービン燃焼器用尾筒の表面への擦過傷を防止することができる。
さらに、梱包用具全体が、強化段ボールで作られているので、従来使用されていた木箱に比べて、容易に組立・解体することができ、組立・解体作業に要する時間と労力を低減させることができて、作業効率を向上させることができる。
さらにまた、隣り合うガスタービン燃焼器用尾筒とガスタービン燃焼器用尾筒との間に強化段ボールで作られた間仕切りが配置されることになるので、ガスタービン燃焼器用尾筒を梱包用具に収容したり、梱包用具から取り出したりするとき、あるいは運搬中におけるガスタービン燃焼器用尾筒同士の接触を防止することができ、ガスタービン燃焼器用尾筒の表面への擦過傷をさらに防止することができるとともに、梱包用具全体の剛性を高めることができる。
さらにまた、間仕切りによって仕切られた各空間内に、ガスタービン燃焼器用尾筒を収容した後に、その周囲を覆うスリーブが配置されることになるので、ガスタービン燃焼器用尾筒の位置決め作業を側方から見て行うことができ、作業効率を向上させることができる。
【００２８】
上記ガスタービン燃焼器用尾筒の梱包方法において、前記底トレーの中に前記間仕切りを入れる前に、前記ガスタービン燃焼器用尾筒の一端側に設けられた円形部の先端を受け入れる穴を備えた、強化段ボールからなる板状の底パットを、前記底トレーの底板に敷くようにするとさらに好適である。
【００２９】
このようなガスタービン燃焼器用尾筒の梱包方法によれば、ガスタービン燃焼器用尾筒の一端側に設けられた円形部の先端を穴内に挿入することにより、ガスタービン燃焼器用尾筒の位置決めが行われることになるので、ガスタービン燃焼器用尾筒の位置決め作業を容易に行うことができ、作業効率を向上させることができる。
【００３０】
上記ガスタービン燃焼器用尾筒の梱包方法において、前記スリーブの開口部を前記蓋体で覆う前に、前記ガスタービン燃焼器用尾筒の他端側に設けられた略角筒状部の先端と、前記蓋体の下面との間に形成される空間内に、前記ガスタービン燃焼器用尾筒の主に上下方向の移動を阻止する、強化段ボールからなる隙間充填材を入れるようにするとさらに好適である。
【００３１】
このようなガスタービン燃焼器用尾筒の梱包方法によれば、蓋体を被せた際に、ガスタービン燃焼器用尾筒の他端側に設けられた略角筒状部の先端と、蓋体の下面との間に形成される空間内に、強化段ボールで作られた隙間充填材が配置されることになるので、運搬中におけるガスタービン燃焼器用尾筒の移動を防止することができ、ガスタービン燃焼器用尾筒の表面への擦過傷をさらに防止することができる。
【００３２】
上記ガスタービン燃焼器用尾筒の梱包方法において、前記隙間充填材を入れる前に、前記間仕切りの上に、隣り合うガスタービン燃焼器用尾筒とガスタービン燃焼器用尾筒との間隔を保持する、強化段ボールからなる間隔保持材を入れるようにするとさらに好適である。
【００３３】
このようなガスタービン燃焼器用尾筒の梱包方法によれば、隣り合うガスタービン燃焼器用尾筒とガスタービン燃焼器用尾筒との間に強化段ボールで作られた間隔保持材が配置されることになるので、運搬中におけるガスタービン燃焼器用尾筒同士の接触を防止することができ、ガスタービン燃焼器用尾筒の表面への擦過傷をさらに防止することができる。
【発明の効果】
【００３４】
本発明に係るガスタービン燃焼器用内筒尾筒の梱包用具およびガスタービン燃焼器用内筒尾筒の梱包方法によれば、貨物全体の重量を低減させることができ、ガスタービン燃焼器用内筒尾筒の表面への擦過傷を防止することができて、容易に組立・解体することができるという効果を奏する。
【図面の簡単な説明】
【００３５】
【図１】本発明の一実施形態に係るガスタービン燃焼器用内筒尾筒の梱包用具およびガスタービン燃焼器用内筒尾筒の梱包方法を説明するための図であって、パレットの斜視図である。
【図２】本発明の一実施形態に係るガスタービン燃焼器用内筒尾筒の梱包用具およびガスタービン燃焼器用内筒尾筒の梱包方法を説明するための図であって、パレットおよび底トレーの斜視図である。
【図３】本発明の一実施形態に係るガスタービン燃焼器用内筒の梱包用具およびガスタービン燃焼器用内筒の梱包方法を説明するための図であって、パレット、底トレー、およびウレタンシートの斜視図である。
【図４】本発明の一実施形態に係るガスタービン燃焼器用内筒の梱包用具およびガスタービン燃焼器用内筒の梱包方法を説明するための図であって、パレット、底トレー、ウレタンシート、および十字仕切りの斜視図である。
【図５】本発明の一実施形態に係るガスタービン燃焼器用内筒の梱包用具およびガスタービン燃焼器用内筒の梱包方法を説明するための図であって、パレット、底トレー、ウレタンシート、十字仕切り、およびガスタービン燃焼器用内筒の斜視図である。
【図６】本発明の一実施形態に係るガスタービン燃焼器用内筒の梱包用具およびガスタービン燃焼器用内筒の梱包方法を説明するための図であって、パレット、底トレー、十字仕切り、ガスタービン燃焼器用内筒、およびスリーブの斜視図である。
【図７】本発明の一実施形態に係るガスタービン燃焼器用内筒の梱包用具およびガスタービン燃焼器用内筒の梱包方法を説明するための図であって、パレット、底トレー、十字仕切り、ガスタービン燃焼器用内筒、スリーブ、およびウレタンシートの斜視図である。
【図８】本発明の一実施形態に係るガスタービン燃焼器用内筒尾筒の梱包用具およびガスタービン燃焼器用内筒尾筒の梱包方法を説明するための図であって、パレット、底トレー、スリーブ、および天キャップの斜視図である。
【図９】本発明の一実施形態に係るガスタービン燃焼器用内筒尾筒の梱包用具およびガスタービン燃焼器用内筒尾筒の梱包方法を説明するための図であって、パレット、底トレー、スリーブ、天キャップ、および結束バンドの斜視図である。
【図１０】本発明の一実施形態に係るガスタービン燃焼器用尾筒の梱包用具およびガスタービン燃焼器用尾筒の梱包方法を説明するための図であって、パレット、底トレー、および底パットの斜視図である。
【図１１】本発明の一実施形態に係るガスタービン燃焼器用尾筒の梱包用具およびガスタービン燃焼器用尾筒の梱包方法を説明するための図であって、パレット、底トレー、底パット、および十字仕切りの斜視図である。
【図１２】本発明の一実施形態に係るガスタービン燃焼器用尾筒の梱包用具およびガスタービン燃焼器用尾筒の梱包方法を説明するための図であって、パレット、底トレー、底パット、十字仕切り、およびガスタービン燃焼器用尾筒の斜視図である。
【図１３】本発明の一実施形態に係るガスタービン燃焼器用尾筒の梱包用具およびガスタービン燃焼器用尾筒の梱包方法を説明するための図であって、パレット、底トレー、底パット、十字仕切り、ガスタービン燃焼器用尾筒、および間隔保持材の斜視図である。
【図１４】本発明の一実施形態に係るガスタービン燃焼器用尾筒の梱包用具およびガスタービン燃焼器用尾筒の梱包方法を説明するための図であって、パレット、底トレー、ガスタービン燃焼器用尾筒、スリーブ、および振れ止め用積層品ブロックの斜視図である。
【図１５】本発明の一実施形態に係るガスタービン燃焼器用尾筒の梱包用具およびガスタービン燃焼器用尾筒の梱包方法を説明するための図であって、パレット、底トレー、ガスタービン燃焼器用尾筒、スリーブ、振れ止め用積層品ブロック、および天パットの斜視図である。
【発明を実施するための形態】
【００３６】
以下、本発明の一実施形態に係るガスタービン燃焼器用内筒の梱包用具およびガスタービン燃焼器用内筒の梱包方法について、図１から図９を参照しながら説明する。
まず、図１に示すように、フォークリフト（図示せず）で貨物を格納・運搬するためのパレット（荷台）１０を用意する。
つぎに、図２に示すように、底面を形成する底板１１と、側面を形成する４枚の側板１２とを備え、その外観形状が直方体を呈する底トレー１３をパレット１０の上に載置し、底トレー１３の中から底板１１の四隅に鋲材（図示せず）を打ち付けて、底トレー１３をパレット１０に対して固定する。
つづいて、図３に示すように、底トレー１３の底板１１の全面を覆い隠す平面視矩形状を呈する板状のウレタンシート（緩衝材）１４を底板１１の上に敷く。
【００３７】
つぎに、図４に示すように、底トレー１３の内部空間を、２枚または４枚の板状部材からなり、４つの等しい空間に仕切る（区画する）十字仕切り（間仕切り）１５を底トレー１３の中に入れる。このとき、高さ方向に延びる十字仕切り１５の各端面１５ａの下端部と、この下端部と対向する、側板１２の周方向における中央部に位置する内側面１２ａとの間に、後述するスリーブ１６を嵌め込む（差し込む）ための隙間（図示せず）が形成されるようになっている。
【００３８】
つづいて、図示しないエアキャップ等の緩衝材（梱包材）で包まれたガスタービン燃焼器用内筒１７、またはエアキャップ等の緩衝材で包まれていない裸のガスタービン燃焼器用内筒１７を、図５に示すように、十字仕切り１５で仕切られた空間内にそれぞれ入れ、これら十字仕切り１５およびガスタービン燃焼器用内筒１７の外側に、図示しないラップ等の極薄い透明なフィルムを巻き付け（これら十字仕切り１５およびガスタービン燃焼器用内筒１７の外側を、図示しないラップ等の極薄い透明なフィルムでグルグル巻きにして）、ガスタービン燃焼器用内筒１７を十字仕切り１５に対して固定する。
【００３９】
つぎに、図６に示すように、側面を形成する４枚の側板１８を備え、その外観形状が直方体または立方体を呈するスリーブ（外装ケース：アウターケース）１６を、その下端部が、十字仕切り１５の各端面１５ａの下端部と、この下端部と対向する、側板１２の周方向における中央部に位置する内側面１２ａとの間に形成された隙間に嵌め込まれるようにして底トレー１３の上に載置する。
【００４０】
つづいて、図７に示すように、スリーブ１６の開口部を覆い隠す平面視矩形状を呈する板状のウレタンシート（緩衝材）１９を、十字仕切り１５およびガスタービン燃焼器用内筒１７の上に敷く。
【００４１】
つぎに、図８に示すように、天面を形成する天板２０と、側面を形成する４枚の側板２１とを備え、その外観形状が直方体を呈する天キャップ（蓋体）２２を、スリーブ１６の開口部を覆い隠すようにして被せる。
最後に、図９に示すように、ガスタービン燃焼器用内筒１７を収容した（納めた）スリーブ１６の開口部が天キャップ２２によって覆われたガスタービン燃焼器用内筒の梱包用具２３と、パレット１０とを、例えば、ポリプロピレン（polypropylene）製の結束バンド２４によって結束（固縛）する。
【００４２】
なお、上述した実施形態では、パレット１０として木製のものを、底トレー１３、十字仕切り１５、スリーブ１６、天キャップ２２として強化段ボール（トライ・ウォール（登録商標））製のものを採用した。
【００４３】
本実施形態に係るガスタービン燃焼器用内筒の梱包用具およびガスタービン燃焼器用内筒の梱包方法によれば、パレット１０、ウレタンシート１４，１９および結束バンド２４を除く梱包用具２３全体が、強化段ボールで作られているので、貨物全体の重量を低減させることができ、輸送費の削減を図ることができる。
また、パレット１０、ウレタンシート１４，１９および結束バンド２４を除く梱包用具２３全体が、強化段ボールで作られているので、ガスタービン燃焼器用内筒１７を梱包用具２３に収容したり、梱包用具２３から取り出したりするとき、あるいは運搬中に、ガスタービン燃焼器用内筒１７が梱包用具２３に接触したとしても、梱包用具２３だけが凹むようになっており、ガスタービン燃焼器用内筒１７の表面への擦過傷を防止することができる。
さらに、パレット１０、ウレタンシート１４，１９および結束バンド２４を除く梱包用具２３全体が、強化段ボールで作られているので、従来使用されていた木箱に比べて、容易に組立・解体することができ、組立・解体作業に要する時間と労力を低減させることができて、作業効率を向上させることができる。
【００４４】
さらにまた、ガスタービン燃焼器用内筒１７が板状のウレタンシート１４を介して支持され、ガスタービン燃焼器用内筒１７が強化段ボールで作られた部分と直接接触しないようになっているので、ガスタービン燃焼器用内筒１７の表面への擦過傷をさらに防止することができる。
さらにまた、ガスタービン燃焼器用内筒１７と天キャップ２２との間に、ガスタービン燃焼器用内筒１７に接するようにして板状のウレタンシート１９が配置され、ガスタービン燃焼器用内筒１７が強化段ボールで作られた部分と直接接触しないようになっているので、ガスタービン燃焼器用内筒１７の表面への擦過傷をさらに防止することができる。
【００４５】
また、本実施形態に係るガスタービン燃焼器用内筒の梱包方法によれば、十字仕切り１５によって仕切られた各空間内に、ガスタービン燃焼器用内筒１７を収容した後に、その周囲を覆うスリーブ１６が配置されることになるので、ガスタービン燃焼器用内筒１７の位置決め作業を側方から見て行うことができ、作業効率を向上させることができる。
【００４６】
つぎに、本発明の一実施形態に係るガスタービン燃焼器用尾筒の梱包用具およびガスタービン燃焼器用尾筒の梱包方法について、図１、図２、図８から図１５を参照しながら説明する。
まず、図１に示すように、フォークリフト（図示せず）で貨物を格納・運搬するためのパレット（荷台）１０を用意する。
つぎに、図２に示すように、底面を形成する底板１１と、側面を形成する４枚の側板１２とを備え、その外観形状が直方体を呈する底トレー１３をパレット１０の上に載置し、底トレー１３の中から底板１１の四隅に鋲材（図示せず）を打ち付けて、底トレー１３をパレット１０に対して固定する。
つづいて、図１０に示すように、４つの穴３３を備えた、平面視矩形状を呈する板状の底パット３４を底板１１の上に敷く。各穴３３は、板厚方向に貫通して、後述するガスタービン燃焼器用尾筒３７の一端側に設けられた円形部３８の先端を受け入れる（と合致する）、平面円形状を呈する貫通穴である。
【００４７】
つぎに、図１１に示すように、底トレー１３の内部空間を、２枚または４枚の板状部材からなり、４つの等しい空間に仕切る（区画する）十字仕切り（間仕切り）３５を底トレー１３の中に入れる。このとき、高さ方向に延びる十字仕切り３５の各端面３５ａの下端部と、この下端部と対向する、側板１２の周方向における中央部に位置する内側面１２ａとの間に、後述するスリーブ１６を嵌め込む（差し込む）ための隙間（図示せず）が形成されるようになっている。
【００４８】
つづいて、図示しないエアキャップ等の緩衝材（梱包材）で包まれたガスタービン燃焼器用尾筒３７、またはエアキャップ等の緩衝材で包まれていない裸のガスタービン燃焼器用尾筒３７を、図１２に示すように、十字仕切り３５で仕切られた空間内にそれぞれ入れ、これら十字仕切り３５およびガスタービン燃焼器用尾筒３７の外側に、図示しないラップ等の極薄い透明なフィルムを巻き付け（これら十字仕切り３５およびガスタービン燃焼器用尾筒３７の外側を、図示しないラップ等の極薄い透明なフィルムでグルグル巻きにして）、ガスタービン燃焼器用尾筒３７を十字仕切り３５に対して固定する。
【００４９】
つぎに、図１３に示すように、十字仕切り３５の上に、隣り合うガスタービン燃焼器用尾筒３７とガスタービン燃焼器用尾筒３７との間隔を保持する間隔保持材３９を置く。間隔保持材３９は、平面視十字形状を呈するとともに、断面視矩形状を呈する棒状の部材である。
【００５０】
つづいて、図１４に示すように、側面を形成する４枚の側板１８を備え、その外観形状が直方体または立方体を呈するスリーブ（外装ケース：アウターケース）１６を、その下端部が、十字仕切り３５の各端面３５ａの下端部と、この下端部と対向する、側板１２の周方向における中央部に位置する内側面１２ａとの間に形成された隙間に嵌め込まれるようにしてパレット１０の上に載置する。
そして、図１５に示す天面を形成する天板４０と、平行となる側面を形成する２枚の側板４１と、側板４１の下端と天板４０の下面中央とを連結する底板（斜板）４２とを備えた天パット（隙間充填材）４３を被せた際に、ガスタービン燃焼器用尾筒３７の他端側に設けられた略角筒状部４４の先端４４ａと、底板４２の下面４２ａとの間に形成される空間内に、ガスタービン燃焼器用尾筒３７の主に上下方向の移動を阻止する２本の振れ止め用積層品ブロック（隙間充填材）４５を、互いに平行になるようにして配置する。
なお、天板４０の大きさは、スリーブ１６の開口部を覆い隠す大きさに設定されている。
【００５１】
つぎに、図８に示すように、天面を形成する天板２０と、側面を形成する４枚の側板２１とを備え、その外観形状が直方体を呈する天キャップ（蓋体）２２を、スリーブ１６の開口部を覆い隠すようにして被せる。
最後に、図９に示すように、ガスタービン燃焼器用尾筒３７を収容した（納めた）スリーブ１６の開口部が天キャップ２２によって覆われたガスタービン燃焼器用尾筒の梱包用具２３と、パレット１０とを、例えば、ポリプロピレン（polypropylene）製の結束バンド２４によって結束（固縛）する。
【００５２】
なお、上述した実施形態では、パレット１０として木製のものを、底トレー１３、十字仕切り３５、スリーブ１６、天キャップ２２、底パット３４、間隔保持材３９、天パット４３、振れ止め用積層品ブロック４５として強化段ボール（トライ・ウォール（登録商標））製のものを採用した。
【００５３】
本実施形態に係るガスタービン燃焼器用尾筒の梱包用具およびガスタービン燃焼器用尾筒の梱包方法によれば、パレット１０および結束バンド２４を除く梱包用具２３全体が、強化段ボールで作られているので、貨物全体の重量を低減させることができ、輸送費の削減を図ることができる。
また、パレット１０および結束バンド２４を除く梱包用具２３全体が、強化段ボールで作られているので、ガスタービン燃焼器用尾筒３７を梱包用具２３に収容したり、梱包用具２３から取り出したりするとき、あるいは運搬中に、ガスタービン燃焼器用尾筒３７が梱包用具２３に接触したとしても、梱包用具２３だけが凹むようになっており、ガスタービン燃焼器用尾筒３７の表面への擦過傷を防止することができる。
さらに、パレット１０および結束バンド２４を除く梱包用具２３全体が、強化段ボールで作られているので、従来使用されていた木箱に比べて、容易に組立・解体することができ、組立・解体作業に要する時間と労力を低減させることができて、作業効率を向上させることができる。
【００５４】
さらにまた、ガスタービン燃焼器用尾筒３７の一端側に設けられた円形部３８の先端を穴３３内に挿入することにより、ガスタービン燃焼器用尾筒３７の位置決めが行われることになるので、ガスタービン燃焼器用尾筒３７の位置決め作業を容易に行うことができ、作業効率を向上させることができる。
さらにまた、隣り合うガスタービン燃焼器用尾筒３７とガスタービン燃焼器用尾筒３７との間に強化段ボールで作られた間隔保持材３９が配置されることになるので、運搬中におけるガスタービン燃焼器用尾筒３７同士の接触を防止することができ、ガスタービン燃焼器用尾筒３７の表面への擦過傷をさらに防止することができる。
さらにまた、天キャップ２２を被せた際に、ガスタービン燃焼器用尾筒３７の他端側に設けられた略角筒状部４４の先端４４ａと、天キャップ２２の下面との間に形成される空間内に、強化段ボールで作られた天パット４３および振れ止め用積層品ブロック４５が配置されることになるので、運搬中におけるガスタービン燃焼器用尾筒３７の移動を防止することができ、ガスタービン燃焼器用尾筒３７の表面への擦過傷をさらに防止することができる。
【００５５】
また、本実施形態に係るガスタービン燃焼器用尾筒の梱包方法によれば、十字仕切り３５によって仕切られた各空間内に、ガスタービン燃焼器用尾筒３７を収容した後に、その周囲を覆うスリーブ１６が配置されることになるので、ガスタービン燃焼器用尾筒３７の位置決め作業を側方から見て行うことができ、作業効率を向上させることができる。
【００５６】
なお、本発明は上述した実施形態のものに限定されるものではなく、適宜必要に応じて変更あるいは変形して実施することもできる。
【符号の説明】
【００５７】
１１    底板
１２    側板
１２ａ  内側面
１３    底トレー
１４    ウレタンシート（緩衝材）
１５    十字仕切り（間仕切り）
１５ａ  端面
１６    スリーブ
１７    ガスタービン燃焼器用内筒
１８    側板
１９    ウレタンシート（緩衝材）
２２    天キャップ（蓋体）
２３    梱包用具
３３    穴
３４    底パット
３５    十字仕切り（間仕切り）
３５ａ  端面
３７    ガスタービン燃焼器用尾筒
３８    円形部
３９    間隔保持材
４３    天パット（隙間充填材）
４４    略角筒状部
４４ａ  先端
４５    振れ止め用積層品ブロック（隙間充填材）
【図１】
0005570827.tif 000002
【図２】
0005570827.tif 000003
【図３】
0005570827.tif 000004
【図４】
0005570827.tif 000005
【図５】
0005570827.tif 000006
【図６】
0005570827.tif 000007
【図７】
0005570827.tif 000008
【図８】
0005570827.tif 000009
【図９】
0005570827.tif 000010
【図１０】
0005570827.tif 000011
【図１１】
0005570827.tif 000012
【図１２】
0005570827.tif 000013
【図１３】
0005570827.tif 000014
【図１４】
0005570827.tif 000015
【図１５】
0005570827.tif 000016